(57)【特許請求の範囲】
【請求項１】
転写可能な印剤により身体情報を膜材に印刷してなり、その膜材を被験者身体のうちの顔の所定部位に貼付することにより、前記印剤を被験者身体のうちの顔の所定部位に転写できるようにされた顔用のマーキング用転写膜であって、
前記膜材は、被験者の顔の凹凸に応じて形成された複数の部分膜材を有する、顔用のマーキング用転写膜。
【請求項２】
膜材に印刷された身体情報は、被験者の個人身体情報に対応したものとされた請求項１記載の顔用のマーキング用転写膜。
【請求項３】
膜材の身体情報が印刷された面にメルクマールを設け、このメルクマールを被験者身体のうちの顔の所定部位に貼付するようにした請求項１又は請求項２のいずれか１項に記載の顔用のマーキング用転写膜。
【請求項４】
転写可能な印剤により身体情報を、被験者身体のうちの顔の所定部位に貼付することのできる膜材に印刷するための印刷手段を備え、前記印剤を被験者身体のうちの顔の所定部位に転写できるようにされた顔用のマーキング用転写膜を製造する顔用のマーキング用転写膜製造装置であって、
前記印刷手段は、被験者の顔の凹凸に応じて形成された複数の部分膜材を有する膜材に、前記印剤を印刷するようになっている、
顔用のマーキング用転写膜製造装置。
【請求項５】
被験者の個人身体情報に基づいて印刷すべき身体情報を決定する制御手段を備えた請求項４記載の顔用のマーキング用転写膜製造装置。
【発明の詳細な説明】
【０００１】
【発明の属する技術分野】
本発明は、手術放射線治療などの準備段階において、被験者の身体に手術補助などを目的としたマーキングを施すための技術に関する。
【０００２】
【従来の技術】
医療現場においては、被験者の身体表面に直接マーキングを施すことが広く行われている。例えば、Ｘ線照射を行う場合には、Ｘ線を照射すべき部位を３次元的に特定すべく、身体の正面、側面方向などにＸ線照射部位を示すマーキングを行う。また、美容外科手術を行う場合には、その被験者の顔の筋肉、骨や顔の内部を走る血管、神経などの解剖学的な位置情報や、手術を行う際に皮膚を引っ張る方向などの様々な情報を、被験者の顔面に対して予めマーキングする。
【０００３】
ところで、上記マーキングは、手作業で行われているのが現状である。従って、マーキングには数時間単位の長い時間が必要となる場合がある。特に、美容外科分野においては、マーキングすべき情報が多岐に渡り且つその正確性に対する要求も非常に高いため、他の分野に比してマーキングに要する時間が長くなりがちであり、それに伴う被験者の負担もかなりのものになる。例えば、翌日の手術を控えた被験者がマーキングを施されたまま一晩過ごさなければならないような場合には、その心理的圧迫感は想像以上に大きい。また、手作業で行われているマーキングには高度な熟練も必要とされているので、誰もが正確なマーキングを行えるようにすることによって作業効率を高めることに対する要求も存在する。
【０００４】
【発明が解決しようとする課題】
そこで、本発明は、たとえ熟練者でなかったとしても上記したようなマーキングを、容易に且つ短時間で行えるようにする技術の提供をその目的としている。
【０００５】
【課題を解決するための手段】
上記課題を解決すべく、本願のマーキング技術では、印刷・転写という技術を介在させることにより、何ら特別な技術を持たない者でも短時間でマーキングを行うことができるようにした。即ち、本願の技術では、マーキングすべき身体情報を転写可能な印剤によって膜材へ印刷することによってマーキング用転写膜を作成し、このマーキング用転写膜を被験者身体の所定部位へ貼付することで、被験者の身体表面にマーキングを施すようにしている。このようにすれば、被験者に対してマーキングを行うのに要する時間は、実質的に転写を行うのに必要な極めて短い時間のみとなり、被験者の負担を軽減することができる。また、上記のようなマーキング用転写膜を用いれば、それを被験者身体の所定部位に貼付するだけで自動的にマーキングを完了することになるため、何ら特別の技術を持たない者であったとしても正確なマーキングを行うことができる。
【０００６】
尚、本明細書において、身体情報とは、マーキングを行うべき身体に関する情報一般を広く意味し、例えばＸ線を照射すべき部位を特定するための情報や、美容外科手術を行う場合に必要な切開予定線、顔の筋肉、骨、血管、神経などの位置や走行、手術を行う際に皮膚を張る方向などに関する情報等を含み、各人に共通のもの及び個人差のあるもの双方を含むものとする。
【０００７】
上記マーキング用転写膜においては、その膜材に印刷する身体情報を、被験者の個人身体情報に対応したものとするのが好ましい。上記身体情報は、各被験者個々人によって異なる場合が多いため、各被験者ごとの身体情報である個人身体情報に基づいてマーキング用転写膜を作成することによって、マーキングをより正確に行うことができるようになるからである。
【０００８】
尚、以上で説明したマーキング用転写膜では、膜材の身体情報が印刷された面にメルクマールを設けるのが好ましい。そして、マーキング転写膜を被験者へ貼付ける際に前記メルクマールを被験者身体の所定部位に貼付することにすれば、マーキング用転写膜の貼付けに関する位置合わせをより簡易に且つより正確に行えるようになるので便利である。この場合には、被験者身体の表面か、マーキング転写膜のメルクマールの少なくとも一方に両面接着の接着テープを貼付けることにするのが便利である。例えば、マーキング転写膜に上記身体情報に加えて複数個のメルクマークを印刷すると共に、マーキング用転写膜の貼付け時に被験者身体の所定位置に複数個の両面接着テープを貼付けることとし、マーキング転写膜におけるメルクマークを身体における接着テープと合致させながら貼付け作業を行えば、正確で早く貼付け作業を行い得る。逆に、マーキング転写膜に接着テープを張付けてメルクマールとし、被験者身体の所定位置にメルクマールとしてのテープを貼付けるようにしても、同様の効果を得られる。
【０００９】
上記マーキング用転写膜は、転写可能な印剤により身体情報を膜材に印刷するための印刷手段を備えるマーキング用転写膜製造装置により製造することができる。個人ごとの身体情報の差が小さいものに関するマーキング用転写膜は、解剖実験の際などに用いる汎用品として、この装置による大量生産を行うことができる。一方、個人ごとの身体情報の差が大きいものに関するマーキング用転写膜は、上記印刷手段に加えて、被験者の個人身体情報に基づいて印刷すべき身体情報を決定する制御手段を備えたマーキング用転写膜製造装置で製造することが可能である。
【００１０】
【発明の実施の形態】
以下、添付の図面にしたがって、本発明によるマーキング用転写膜製造装置及びマーキング用転写膜についての実施形態を説明する。図１中１０で示すのが本発明によるマーキング用転写膜製造装置であり、互いに接続された制御手段１１及び印刷手段１２からなっている。制御手段１１は、個人身体情報を入力可能であり且つその入力情報に基づいて印刷手段１２を制御可能とされたコンピュータである。印刷手段１２は印剤として転写可能なものを用いることができるものであれば特にその種類を問わないが、膜材が弾力のある場合にも正常に印刷を行えるようなものであるのが好ましい。
【００１１】
図１において印刷手段１２からプリントアウトされつつあるのがマーキング転写膜２０である。マーキング転写膜２０は、個人身体情報に基づいて制御手段１１によって決定されたマーキング情報を、支持膜２１に重ね合わされた膜材２２に、転写可能な印剤によって印刷したものである（図２参照）。
【００１２】
このマーキング転写膜２０は、図面からも明らかなように顔用である。従って、このマーキング転写膜２０は、支持膜２１から剥がした膜材２２を、印刷が行われた面が被験者の顔に接触するようにしながら被験者の顔に被せ、この状態で、裏側から膜材２２を擦ることにより印剤を被験者の顔に転写させることでマーキングを行う。複雑なマーキングの場合でもこれだけでマーキングが完了する。尚、このマーキング転写膜２０における膜材２２を被験者の顔へ被せる場合には、膜材の所定位置にメルクマールとなる両面接着可能な接着テープ２３を貼り付けると共に、被験者の顔の所定位置（例えば、鼻の頂点や、顎関節部、下顎角部など）にも図示せぬ接着テープを貼り付け、膜材２２に貼り付けた接着テープと被験者の顔に貼り付けた接着テープとが対応するようにしながら、支持膜２１から膜材２２を剥がしそれを顔に貼り付けるという作業を行うのが好ましい。このように上記接着テープ２３をメルクマールとして用いれば、顔における所定の指標に合わせて、膜材２２を貼り付けられるようになるため、より一層本発明によるマーキングの精度を高められるようになる。
【００１３】
尚、この実施形態においては、顔全体に対して一枚でマーキングを行えるようなマーキング転写膜２０について説明したが、顔のような凹凸の大きな部分については、顔の中央用及び左右用などに分けたマーキング転写膜２０を作成し、それぞれの部分ごとに、上記と同様の処理を行うことによってマーキングを施すのがマーキングの正確性の点から見て好ましい。また、上記と同様の原理で、鼻用、眼瞼用などの顔に用いるもののみならず、手足や胴体用のマーキング転写膜２０を作成することも可能であり、それを用いることで、被験者の身体のいかなる部分についてもマーキングを行うことができる。
【００１４】
【発明の効果】
本発明のマーキング転写膜は、膜材を被験者身体の所定部位に貼付することにより、前記印剤を被験者身体の所定部位に転写できるようにされたものであり、被験者に対するマーキングに要する時間を大幅に短縮できるため、マーキングに関する被験者施行者双方の負担を減少させることができる。また、このマーキング用転写膜を用いれば、転写という非常に簡単な作業によりマーキングを行うことが可能になるので、熟練者でない者であっても正確にマーキングを行えるようになる。特に、膜材に印刷された身体情報を被験者の個人身体情報に対応したものとした場合には、身体情報による個人差があったとしても、正確なマーキングを行えるようになる。また、マーキング転写膜に接着テープなどを利用することによってメルクマールを設ければ、より容易且つ正確なマーキング転写膜の貼付けが可能になる。
【００１５】
更に、上記のマーキング用転写膜は、転写可能な印剤により身体情報を膜材に印刷するための印刷手段を備えるマーキング用転写膜製造装置を用いることによって、簡単に製造することが可能である。
【図面の簡単な説明】
【図１】本発明の実施形態によるマーキング用転写膜製造装置を示す構成図。
【図２】本発明の実施形態によるマーキング用転写膜を示す斜視図。
【符号の説明】
１０  マーキング用転写膜製造装置
１１  制御手段
１２  印刷手段
２０  マーキング用転写膜
２１  支持膜
２２  膜材
２３  接着テープ（メルクマール）
【図１】
0004121184.tif 000002
【図２】
0004121184.tif 000003